(57)【要約】【課題】吊車ユニットを用いた吊式引き戸用スライド装置を提供する【解決手段】内容器と２個の外容器とを内容器の両側から合体させ、その内部に長手方向に両端円弧でその間が直線で結ばれたエンドレス溝５によるボール群６の転がり軌道が前列と後列に２条設けられ、このエンドレス溝５のうち下部溝底側からボール群６の底部を露出させて吊車となるように構成され、更に内容器下部が垂下延長されて設けられた連結部８と吊戸上面の吊り具７とが軸１０で連結出来るように構成された吊車ユニット２を２個使用し、天井方向取付けでこの吊車ユニット２を両側から抱き込むように断面略Ｃ字型に設けられたアウターレール９内に２個の吊車ユニット２で引き戸１が吊り下げられ、引き戸１が開閉されるごとにアウターレール９内を吊車ユニット２が転動するように構成された吊式引き戸用スライド装置【選択図】　図７
2004092366.tif 000002
【特許請求の範囲】
【請求項１】
レールの長手方向に両端円弧でその間が直線で結ばれたエンドレス溝が内容器の表裏両面とその内容器を更に表と裏から挟み込む外容器の内容器側とに設けられこの内容器と外容器とを合体させることによりエンドレス溝が前後列２条のボールの転がり軌道となるように構成され、この転がり軌道全体にボール群が装着され、このエンドレス溝のうち下部溝のみがボール群の底部を露出させて吊車となるように構成され、更に内容器下部が垂下延長されてその部分と吊戸上面に設けられた吊り具とが連結出来るように連結部が設けられてなることを特徴とする吊車ユニット
【請求項２】
レールの長手方向に両端円弧でその間が直線で結ばれたエンドレス溝が内容器の表裏両面あるいは該内容器を更に表と裏から挟み込む外容器の内容器面側のいずれか一方に設けられ、この内容器と外容器とを合体させることによりエンドレス溝が前後列２条のボールの転がり軌道を形成するように構成されこの転がり軌道内全体にボール群が装着され、このエンドレス溝のうち下部溝のみがボール群の底部を露出させしかもボール落下防止手段が設けられてボール群を落下させることなく吊車となるように構成され、更に内容器下部が垂下延長されてその部分と吊戸上面に設けられた吊り具とが連結出来るように連結部が設けられてなることを特徴とする吊車ユニット
【請求項３】
容器の左およびまたは右側に長手方向に向かって回転する回転体が設けられこの回転体上面が内容器上面と同等あるいは上になることを特徴とする請求項１または請求項２記載の吊車ユニット
【請求項４】
アウターレールが天井方向取付けで吊車ユニットを両側から抱き込むように断面略Ｃ字型に設けられ、このアウターレール内に２ユニットの吊車ユニットが設けられ該ユニットの連結部と引き戸上面に設けられた吊り具とを連結することにより引き戸が吊り下げられてアウターレール内を吊車ユニットが転動するようにスライド装置が構成され、上記吊車ユニットが請求項１または請求項２または請求項３記載のものであることを特徴とする吊車ユニットを有する吊式引き戸用スライド装置
【請求項５】
アウターレールと吊車ユニット下部の露出されたボール群との間に長手方向に溝を有する帯板ユニットが設けられ、該帯板ユニットが交換可能でしかも耐荷重補強部材となることを特徴とする請求項４記載の吊車ユニットを有する吊式引き戸用スライド装置
【発明の詳細な説明】
【０００１】
【発明の属する技術分野】
本発明は引き戸を吊り下げて開閉するための吊り車構造とスライド装置に関するものである。
【０００２】
【従来の技術】
昨今は人に優しいことをテーマにバリアフリー空間が取り沙汰され、引き戸もまた吊戸方式が増加してきており、特に病院などはほとんど吊戸式を採用してきている。普及するに従い次第に大型の扉や重量扉まで吊戸化されてきていて従来からの２個の吊車では吊車自身にドア重量のすべてが掛かり、特に重量ドアになればなる程一点集中による負担が大きくなって吊車もレールも磨耗変形し易くなり、時には磨耗変形によりその部分で停止したり、動かす際に重いといった不都合が生じてきていた。
【０００３】
そこで一点集中の負荷を防止するため、アウターレール・インナーレール間で長手方向に沿った両側端部にリテナーで規制されたボール群をインターフェイスとしてインナーレールを移動させるスライドレールが提供されこのスライドレールを用いることにより引き戸重量をボール群で支えて各ボールに引き戸重量を分散させる方法が開示された。このスライドレール方式においてはインターフェイスに摩擦抵抗がなくころがりのみが生じると仮定すると長さＬのインナーレールをボール１個の上で端から端まで転がすとインナーレール先端は２Ｌ転がる。従って長さＬのインナーレールを端から端まで転がるのをすべてボール群で支えようとすればインターフェイスの長さはＬ＋１／２Ｌ＝３／２Ｌが必要となる。
【０００４】
同様にして幅Ｗの引き戸を支えるために長さＬ１（ただしＷ＞Ｌ１）のインナーレールを用いるとすれば引き戸を全開閉するためにはアウターレールの最低長さＬ２はＬ２＝２Ｗ、インターフェイスの長さＬ３はＬ３＝Ｌ１＋１／２Ｗが必要となる。
【０００５】
【発明が解決しようとする課題】
このスライドレールを用いる場合には上記した長さ管理を実施すれば強度が
許すならどのような幅の引き戸にも対応可能で取付けすることが出来るが、しかしこの方法では多様な各種の幅Ｗを持つ引き戸に対しインナーレールＬ１は幅Ｗを一定のグループ分けにして管理が出来るがインターフェイスすなわちボール群をまとめるリテナーの長さＬ３はＬ３＝Ｌ１＋１／２Ｗでなければならないため多様な各種の幅Ｗの引き戸により結局１対１対応に管理する必要があり、多様な各種幅の引き戸をグループ分け管理するには不都合であった。また市販されている標準品のスライドレールは一般にたわみに対する強度を持たせるためアウターレールの幅方向が壁に取付けされており、天井方向に取付けして戸を吊り下げると許容荷重が著しく減少するという不都合があった。本発明はかかる不都合を解決することを目的として提供されたもので吊り戸用として水平方向に設置するためのものであり、吊り戸の荷重に対して耐荷重性が強化されたものを提供する。
【０００６】
【課題を解決するための手段】
本発明はかかる不都合を解決するため一つにはアウターレールを天井方向取付けとしてアウターレール断面やインナーレール部断面が線対称となりインナーレール断面の中央部で引き戸を吊るように構成し、また一つはリテナーを廃してインナーレール内にループ軌道溝を設けてボール群を装着し、すべり案内面を転がり案内面とすることによってインナーレールをユニット化し、そのことによって多様な各種幅の引き戸をグループ分け管理出来るようにして不都合を解決した。
【０００７】
すなわち本発明は一つにはレールの長手方向に両端円弧でその間が直線で結ばれたエンドレス溝が内容器の表裏両面とその内容器を更に表と裏から挟み込む外容器の内容器側との両方に設けられるか、あるいは内容器の表裏両面かもしくはその内容器を更に表と裏から挟み込む外容器の内容器側のいずれか一方に設けられ、この内容器と外容器とを合体させることによりエンドレス溝が前後列２条のボールの転がり軌道となるように構成され、この転がり軌道全体にボール群が装着され、このエンドレス溝のうち下部溝のみがボール群の底部を露出させて吊車となるように構成され、更に内容器下部が垂下延長されてその部分と吊戸上面に設けられた吊り具とが連結出来るように連結部が設けられてなることを特徴とする吊車ユニットであり、また一つはこの吊車ユニットの左およびまたは右側に長手方向に向かって回転する回転体が設けられこの回転体上面が内容器上面と同等あるいは上になることを特徴とする吊車ユニットであり、また一つはアウターレールが天井方向取付けで吊車ユニットを両側から抱き込むように断面略Ｃ字型に設けられ、このアウターレール内に２ユニットの吊車ユニットが設けられこの吊車ユニットの連結部と引き戸上面に設けられた吊り具とを連結することにより引き戸が吊り下げられてアウターレールに設けられた溝内を吊車ユニットを介した引き戸が開閉されるように構成された吊式引き戸用スライド装置であり、更に一つはアウターレールと吊車ユニット下部の露出されたボール群との間に長手方向に溝を有する帯板ユニットが設けられ、この帯板ユニットが交換可能でしかも耐荷重補強部材となることを特徴とする吊式引き戸用スライド装置である。
【０００８】
これらは引き戸の重量は支えられた吊車ユニット内の支えるベアリングの球の個数にそれぞれ分散されるために今まで戸車により支えられてきた集中荷重に比較するとベアリングの球１個あたりの支える重量は相当軽減されるためスライド装置自体が長持ちすることが期待出来る。また、従来の壁取付用標準品であるスライドレールの使用は前述した通り引き戸の幅Ｗに対応させてインナーレールを設定し、それに合わせてリテナーの長さを設定しなければならないという不便さがあるが本発明品はインナーレール内にループ軌道溝を設けてボール群を軌道内周回させるためリテナーが不要で短いもので済み、更にユニット化されているため、多種の幅Ｗをもつ引き戸に対して同じ吊車ユニットでもって十分に対応できるし、また扱いやすいといった便利さがある。
【０００９】
【発明の実施の形態】
発明の実施形態を図に基づいて詳細に説明すると図１は吊車ユニットを長手方向にボール群の頂部で切断した場合の横断面図であり、図２〜図４はそれぞれ実施例１〜実施例３の吊車ユニットの縦断面図であり、図５は実施例４のスライダーユニットの横断面図であり、図６は実施例４のスライダーユニットを引き戸に取付けした際の引き戸用スライド装置の主要部を示す正面図、図７は実施例５で実施例１のスライダーユニットを引き戸に取付けした際の吊式引き戸用スライド装置の主要部を示す正面図、図８は図７の縦断面図、図９は実施例６で実施例１のスライダーユニットを引き戸に取付け更にアウターレールのスライダーユニット転動部に補強用の帯板ユニットを設けた場合の吊式引き戸用スライド装置の縦断面図である。
【００１０】
実施例１は図１、図２に示されるようにレールの長手方向に両端円弧でその間が直線で結ばれたエンドレス溝５が内容器３の表裏両面と、その内容器３を更に表と裏から挟み込む外容器４、４の内容器側とに設けられ、この内容器３と外容器４とを合体させることによりエンドレス溝５が前後列２条のボールの転がり軌道となるように構成され、この転がり軌道全体にボール群６が装着され、この両エンドレス溝５、５のうち下部溝のみが下部ボール群の底部を露出させて吊車となるように構成され更に内容器下部が垂下延長されてその部分と引き戸１の上面に設けられた吊り具７とが連結出来るように連結部８が設けられてなる吊車ユニット２である。
【００１１】
実施例２は図１、図３に示されるようにレールの長手方向に両端円弧でその間が直線で結ばれたエンドレス溝５がその内容器３を更に表と裏から挟み込む外容器４、４の内容器側に設けられ、この内容器３と外容器４とを合体させることによりエンドレス溝５が前後列２条のボールの転がり軌道となるように構成され、この転がり軌道全体にボール群６が装着され、この両エンドレス溝５、５のうち下部溝のみが下部ボール群の底部を露出させ、しかもエンドレス溝５のうち下部溝と外容器下部とにはボール落下防止手段の突起部が設けられて下部ボール群を落下させることなく吊車となるように構成され、更に内容器下部が垂下延長されてその部分と引き戸１の上面に設けられた吊り具７とが連結出来るように連結部８が設けられてなる吊車ユニットである。
【００１２】
実施例３は図１、図４に示されるようにレールの長手方向に両端円弧でその間が直線で結ばれたエンドレス溝５がその内容器３の表裏両面に設けられ、更に内容器３の表と裏から挟み込む外容器４、４が設けられ、この内容器３と外容器４とを合体させることによりエンドレス溝５が前後列２条のボールの転がり軌道となるように構成され、この転がり軌道全体にボール群６が装着され、この両エンドレス溝５、５のうち下部溝のみが下部ボール群の底部を露出させ、しかもエンドレス溝５のうち下部溝と外容器下部とにはボール落下防止手段の突起部が設けられて下部ボール群を落下させることなく吊車となるように構成され、更に内容器下部が垂下延長されてその部分と引き戸１の上面に設けられた吊り具７とが連結出来るように連結部８が設けられてなる吊車ユニット２である。
【００１３】
実施例４は図５に示すように実施例１の吊車ユニット２の片方側に更に傾動防止用の回転ローラー１３を設けたものである。この傾動防止用回転ローラー１３は１ユニットで引き戸を吊る場合には吊車ユニット２の前後に設ける必要があるが引き戸１を２ユニットでもって吊る場合には図６に示すように各吊車ユニット２、２の戸尻側と戸先側のそれぞれ１ヶ所に設ければよい。
【００１４】
実施例５は図７、図８に示すように壁面から設けられたアングル１２にアウターレール９が天井方向取付けされている。アウターレール９は実施例１で説明した吊車ユニット２を両側から抱き込むように断面略Ｃ字型に形成されており、このアウターレール９内に２個の吊車ユニット２、２が設けられこの吊車ユニット２、２の連結部８、８と引き戸１の上面に設けられた吊り具７、７とを連結することにより引き戸１が吊り下げられてアウターレール９内を吊車ユニット２が転動するように構成された吊式引き戸用スライド装置である。
【００１５】
吊式引き戸用スライド装置の実施例５について動作を説明すると、吊車ユニット２の内容器３から垂下延長された連結部８と引き戸１の上面に設けられた吊り具７とを軸１０により連結すると引き戸１はアウターレール内の長手方向に設けられた溝内を吊車ユニット２のエンドレス溝５の下部溝から露出したボール群が吊り車の役割を果たして回転しながら更にエンドレス溝５の軌道内をころがりながら引き戸１が開閉されることになる。
【００１６】
実施例６は図９に示すようにアウターレール９と吊車ユニット２下部の露出されたボール群６との間に長手方向に溝を有する帯板ユニット１１が設けられ、この帯板ユニット１１がビス留めされているものである。これはこの帯板ユニット１１が交換可能でしかも耐荷重補強部材となることを特徴としているものである。
【００１７】
【発明の効果】
本発明の吊車ユニットは引き戸重量が今までの戸車に掛かる集中荷重に比較すると支えるベアリングの球の個数にそれぞれ分散した荷重となるために今まで戸車により支えられてきた集中荷重に比較するとベアリングの球１個あたりの支える重量は相当軽減されるためアウターレール、吊車ユニット共に長持ちすることが期待でき、更に壁取付けの市販標準品のスライドレールと比較しても本発明品の場合は１つの吊車ユニットが車の両輪の役割を果たし、引き戸は２ユニットの吊車ユニットでもって支えられるため４列のベアリング群により支えられるのと同様でありベアリングの球１個あたりで支える重量は更に軽減されるという効果があるし、この吊車ユニットの構造はエンドレス溝の下部溝から露出したボール群が吊り車の役割を果たして回転しながら更にエンドレス溝の軌道内をころがるためボール群もまた長持ちする。またインナーレールがユニット化されているため多種の幅を持つ引き戸に対しても１種類で十分に対応できるという効果があり、アウターレールの長さを設定するだけ管理する上にも十分なメリットがある。
【図面の簡単な説明】
【図１】本発明吊車ユニットを長手方向にボール群の頂部で切断した場合
の横断面図
【図２】実施例１の吊車ユニットの縦断面図
【図３】実施例２の吊車ユニットの縦断面図
【図４】実施例３の吊車ユニットの縦断面図
【図５】実施例４の吊車ユニットの横断面図
【図６】実施例４のスライダーユニットを引き戸に取付けした際の引き戸
用スライド装置の主要部を示す正面図
【図７】実施例５で実施例１のスライダーユニットを引き戸に取付けした
際の吊式引き戸用スライド装置の主要部を示す正面図
【図８】図７の側面図
【図９】実施例６で実施例１のスライダーユニットを引き戸に取付け更にアウターレールのスライダーユニット転動部に補強用の帯板を設け
た場合の吊式引き戸用スライド装置の縦断面図
【符号の説明】
１、引き戸
２、吊車ユニット
３、内容器
４、外容器
５、エンドレス溝
６、ボール群
７、吊り具
８、連結部
９、アウターレール
１０、軸
１１、帯板ユニット
１２、アングル
１３、回転ローラー
【図１】
2004092366.tif 000003
【図２】
2004092366.tif 000004
【図３】
2004092366.tif 000005
【図４】
2004092366.tif 000006
【図７】
2004092366.tif 000007
【図８】
2004092366.tif 000008
【図５】
2004092366.tif 000009
【図６】
2004092366.tif 000010
【図９】
2004092366.tif 000011